(57)【要約】【課題】  パチンコの盤面に、打ち込まれた釘の角度を正確に測定し、又誰にでも簡単に釘調整が出来ることを目的とする。【解決手段】  長方形の基板２の両端部に基板２と同一平面上に直角状に連設した支持脚の機能も持つ計測アーム３、３’を有し、一方の計測アームがスライド可能にされ、両計測アームの端部で釘６が沿う当接面１１が計測ゲージとなり、且つ計測アーム間の長さがパチンコ釘の高さより長いパチンコ釘角度測定ゲージ。【選択図】図１
2006015171.tif 000002
【特許請求の範囲】
【請求項１】
長方形の基板Ａの両端部に該基板Ａと同一平面上に直角状に連設した支持脚の機能も持つ計測アームＢ、Ｃを有するパチンコ釘角度測定ゲージであって、一方の計測アームがスライド可能にされ、計測アームＢ、Ｃの端部で釘が沿う当接面が計測ゲージとなり、しかも計測アームＢ、Ｃが協同して同一水平を保ち且つ計測アームＢ、Ｃの長さがパチンコ釘の高さより長いことを特徴とする、パチンコ釘角度測定ゲージ。
【請求項２】
スライド可能とされる計測アームがスライド体Ｄと一体に  形成されていることを特徴とする、請求項１記載のパチンコ釘角度測定ゲージ。
【発明の詳細な説明】
【技術分野】
【０００１】
本発明は、パチンコ盤面上に打ち込まれた釘の角度を測定、調整するためのパチンコ釘角度測定ゲージに関するものである。
【背景技術】
【０００２】
パチンコ盤面に打ち込まれた釘は、メーカーから出荷された時点では、バラバラで調整しなければならなかったが、従来は釘師と呼ばれる人間が目と勘を頼りになされていた。しかし、この勘を養うのには、何年もの歳月と努力を要し、それでも正確に釘を修正することは大変難しかった。さらにこの釘が正確に修正されないと、玉が入賞口へ良く入る台と悪い台とのバラつきができ、かつ同じ台でも上手な人には良く入賞させられるが、下手な人では入賞させにくいという、バラつきも出来てしまう。この様なことで、店の出玉管理を大変難しくさせていた。又、せっかく高価な台を入れても、その台の性能を十分に発揮させることが出来ずに終わらせてしまうことが多かった。
【０００３】
そこで、過去に様々な一般的に角度測定器などと呼ばれるものがあったが、実際の使用に際しては、使いずらいと言わざるを得なかった。なぜなら、パチンコ盤面上に打ち込まれた釘は、一般的には半径１７〜１８ｃｍ位の円周の中に約２００本近く打ち込まれ、尚かつ、大小様々な役物、チューリップなどと呼ばれる釘の計測上では障害物となる物が多いからである。その中で、実際にパチンコ盤面上に角度測定器と呼ばれるものを接合して、計測すればその接合面自体、物理的にある程度の面積あるいは大きさが必要になる。ところが、先のように狭い所へは、その接合面が入り込めないのである。従って、一部の釘は計測可能であっても、大部分の釘の計測は不可能を言わざるを得ない。
ここに、先行技術と問題点を以下に示す。
【０００４】
特許文献１はパチンコ台釘角度測定器である。この技術に於いては直線辺（４）の長さが問題となる。
特許文献２はパチンコ機の釘角度測定装置である。この実例に於いては台座（７）の大きさが問題となる。
特許文献３はパチンコ機の釘角度測定治具である。遊技盤側当接面（７）及び脚部（６）の大きさが、遊技盤側当接面（３２）の大きさが、遊技盤側当接面（４４）の大きさが、遊技盤側当接面（５４）の大きさが、遊技盤側当接面（６４）及び台座（６２）の底部の大きさが問題となる。
【０００５】
【特許文献１】特開平１０−３００４０４号公報
【特許文献２】特開平９−１８２８３２号公報
【特許文献３】特開平９−９４３２６号公報
【発明の開示】
【発明が解決しようとする課題】
【０００６】
本発明は、これらの欠点を除いて、パチンコ機に打ち込まれた釘を可能な限り、くまなく誰にでも簡単に測定、修正が出来、パチンコ機の本来の性能を十分発揮されるために、開発しようとするものである。
【課題を解決するための手段】
【０００７】
上記の目的を達成するために、本発明者は種々検討した結果、パチンコ釘角度測定ゲージ１は、（ｉ）長方形の基板２の両端部に該基板２と同一平面上に直角状に連設した支持脚の機能も持つ計測アーム３、３’を有するパチンコ釘角度測定ゲージであって、一方の
計測アーム３’がスライド可能にされ、計測アーム３、３’の端部で釘６が沿う当接面１１が計測ゲージとなり、しかも計測アーム３、３’協同して同一水平を保ち且つ計測アーム３、３’の長さがパチンコ釘の高さより長いこと、（ｉｉ）スライド可能とされる計測アーム３’がスライド体５と一体に形成されていることにより、本発明を完成できることを見出した。
【発明の効果】
【０００８】
本発明は、以上説明したように構成されているので、以下に記載されるような効果を奏する。
（１）パチンコ盤面７に当接される計測アーム３、３’は、構造的に本体を支える脚部的な意味合いが強いので、必要とする面積を極端に縮小させる事が可能である。
パチンコ盤面７のように、沢山の釘６、又連続した釘６の並び、役物１０等の複雑な狭い場所へも十分に対応可能な構造となっている。
（２）シンプルでありながら、釘６の深い角度まで測定可能で、構造的に見ても精度の高い測定結果を未経験者にも簡単に提供できるものになっている。
（３）垂直方向、水平方向２度測定することにより、釘６の３６０度方向すべてを正確に測定することが可能である。
（４）現状の釘の角度測定も提供でき、かつゲージ本体１の基板２と計測アーム３’を固定することにより、釘を希望する角度に調整させるための効果提供も可能となる。
（５）測定値を一地点として計測するのではなく、計測アーム３、３’間を間隔を開けて二点間で計測するので、例えばパチンコ盤面に歪みがあった場合などでもより平均的な誤差の少ない計測が可能となっている。
（６）パチンコ盤面７、及び釘６に当接するだけで簡単に釘角度が測定できるものとなっている。
【発明を実施するための最良の形態】
【０００９】
以下、図面に従って本発明を説明する。
図１は、本発明によるパチンコ釘角度測定ゲージの代表例を示す斜視図である。
図２は、図１のパチンコ釘角度測定ゲージを用いて釘の垂直方向の釘角度測定を行う状態を示す正面図である。
図３は、図１のパチンコ釘角度測定ゲージを用いて釘の水平方向の釘角度測定を行う状態を示す正面図である。
【００１０】
図１は、ガイド部９とスライド体５の間をラッチ状にして仮固定する。また、ゴム等を使用して伸縮に抵抗を用いることによって、仮固定させると使用勝手が良くなる。
図２は、パチンコ盤面７にパチンコ盤面側当接面８、８’を当接させ、更に釘６を釘当接面１１に沿わせて当接させる。役物１０が計測アーム３’の障害となり計測できない。
しかし、計測アーム３’を付したスライド体５をスライドさせ、この場合に短縮させることにより役物１０から計測アーム３’を回避させ、計測を可能とさせている。この場合、役物１０に限らず釘６等あらゆる障害物からスライド体５を伸縮することにより回避し、計測が可能となっている。
図３は、上記と同様に水平方向の例である。
【産業上の利用可能性】
【００１１】
本発明のパチンコ釘角度測定ゲージは、構造が簡単で且つ便利が良く、このゲージの普及によりパチンコ業界の活気に貢献できる。
【図面の簡単な説明】
【００１２】
【図１】本発明によるパチンコ釘角度測定ゲージの代表例を示す斜視図である。
【図２】図１のパチンコ釘角度測定ゲージを用いて釘の垂直方向の釘角度測定を行う状態を示す正面図である。
【図３】図１のパチンコ釘角度測定ゲージを用いて釘の水平方向の釘角度測定を行う状態を示す正面図である。
【符号の説明】
【００１３】
１  パチンコ釘角度測定ゲージ
２  基板
３、３’  計測アーム
５  スライド体
６  釘
７  パチンコ盤面
８  当接面
９  ガイド部
１０  役物
１１  釘当接面
【図１】
2006015171.tif 000003
【図２】
2006015171.tif 000004
【図３】
2006015171.tif 000005